(57)【特許請求の範囲】
【請求項１】
ＮＭＲシステムで複数の取得されたＮＭＲ信号から画像を再構成するための装置において、複数の振幅および位相の補正値（Ａ，θ）を含む正規化テーブルを記憶する記憶手段であって、振幅および位相の補正値の各々が、対応する複数の受信減衰値（RA）の内の１つに関連している記憶手段、利得が上記受信減衰値（RA）の１つによって設定された受信器でＮＭＲ信号を取得させるＮＭＲ信号取得手段、上記受信減衰値（RA）の１つに関連する正規化テーブルの中の振幅および位相の補正値（Ａ，θ）により決められた量だけ振幅および位相を変更することによって、取得されたＮＭＲ信号を正規化する正規化手段、上記受信器の利得を上記受信減衰値（RA）の異なる値に設定して、上記ＮＭＲ信号取得手段および上記正規化手段を繰り返し作動する手段、ならびに上記のように取得され正規化されたＮＭＲ信号を使用して画像を再構成する手段を含むことを特徴とする画像再構成装置。
【請求項２】
上記正規化手段は、取得されたＮＭＲ信号を正規化するため、該ＮＭＲ信号の振幅に振幅補正値（Ａ）を乗算し、該ＮＭＲ信号の位相を位相補正値（θ）で決められた量だけシフトする手段を含む請求項１記載の画像再構成装置。
【請求項３】
上記ＮＭＲ信号取得手段で取得された各ＮＭＲ信号を、上記正規化手段で正規化する前にフーリエ変換する手段を更に含む請求項１記載の画像再構成装置。
【請求項４】
上記複数のＮＭＲ信号の取得の間に値が変えられるパラメータの関数として、上記受信減衰値（RA）の異なる値が選択される請求項１記載の画像再構成装置。
【請求項５】
上記パラメータがＮＭＲシステムによって作成される位相符号化勾配磁界の値である請求項４記載の画像再構成装置。
【請求項６】
上記パラメータが、ＮＭＲ信号を生じるスライスの位置である請求項４記載の画像再構成装置。
【発明の詳細な説明】
【０００１】
【産業上の利用分野】
本発明の分野は核磁気共鳴（ＮＭＲ）イメージングの方法およびシステムである。更に詳しく述べると、本発明は変化する信号状態の下で低雑音の画像を得るための受信利得の調整に関するものである。
【０００２】
【従来の技術】
人体組織のような物質に一様な磁界（分極磁界Ｂ0 ）が加えられたとき、組織内のスピンの個々の磁気モーメントはこの分極磁界と揃おうとするが、それを中心としてそれらの特性ラーモア周波数でランダムに歳差運動を行う。ｘ−ｙ平面の中にありラーモア周波数に近い磁界（励起磁界Ｂ1 ）が物質すなわち組織に加えられると、正味の揃ったモーメントＭz がｘ−ｙ平面へ回転または「傾いて」、正味横磁気モーメントＭt が作成され得る。励起信号Ｂ1 が終了した後、励起されたスピンにより信号が放出され、この信号を受けて、ディジタル化し、処理することにより画像を形成することができる。
【０００３】
画像を作成する為にこれらの信号を利用するとき、磁界勾配（Ｇx 、Ｇy 、およびＧz ）が用いられる。通常、イメージング対象領域は一連の測定サイクルによって走査される。この一連の測定サイクルでは、これらの勾配は使用されている特定の局部化（ｌｏｃａｌｉｚａｔｉｏｎ）法に応じて変わる。結果として得られる一組の受信されたＮＭＲ信号はディジタル化され、多くの周知の再構成手法の１つを使用して処理することにより画像が再構成される。
【０００４】
画像を再構成するために使用される受信ＮＭＲ信号の振幅は、多数の要因に応じて大きく変わる。たとえば、スライスの厚さが大きくなるにつれ、パルス繰り返し時間（ＴＲ）が大きくなるにつれ、エコー時間（ＴＥ）が短くなるにつれ、患者の大きさが大きくなるにつれ、患者の脂肪含有量が大きくなるにつれ、そして受信コイルの選択（すなわち、全身コイル、表面コイル、頭部コイル等）により、ＮＭＲ信号の振幅が大きくなる。これらの要因はスキャンの間、比較的一定のままとなり、プレスキャン過程の間、受信利得は通常、単一の値に設定される。これにより、ピークのＮＭＲ信号でアナログ−ディジタル変換器がオーバレンジすることが避けられる。このようなプレスキャンは、たとえば米国特許第４，８０６，８６６号明細書に開示されている。
【０００５】
再構成された画像の品質はその信号対雑音比（ＳＮ比）に関連している。最大の信号を扱うために受信利得を下げると、このＳＮ比が劣化することがある。このようなことが起きるのは、受信利得が小さくなるにつれてＭＲＩシステムの受信器の中の雑音指数が大きくなるからである。典型的なスキャンの間、異なるビュー（ｖｉｅｗ）からのＮＭＲ信号はある範囲の振幅を持ち、受信利得はある値に固定される。この値は、最大予測信号振幅を受けたときのアナログ−ディジタル変換器の全範囲を使用する。これは、多数の低レベルＮＭＲ信号が、アナログ−ディジタル変換器の全範囲を使用することなくスキャンの間に取得され、しかもそれらのＳＮ比が最適のＳＮ比より小さいということを意味する。たとえば、最小の位相符号化勾配が印加されたビューは、振幅が大きく、また低いシステム利得で取得されなければならず、最適雑音指数より小さい雑音指数が生じる。他方、高い位相符号化勾配で取得されたビューは、振幅が小さいが、最大の信号状態に対して設定されたシステム雑音指数で取得される。
【０００６】
【発明の概要】
本発明は、受信した各ＮＭＲ信号に対してＳＮ比を最適化するように、スキャンの間、受信利得を動的に調整する改良されたＭＲＩシステムに関するものである。画像再構成に先立って、このように取得されたＮＭＲ信号は、受信利得設定値を変えることによって生じた振幅および位相の差を正規化によって除くように調整される。更に詳しく述べると、スキャンの間に、スキャンパラメータの関数として決められた関連する受信利得設定値で各ＮＭＲ信号が取得され、この取得された各ＮＭＲ信号が、記憶された正規化テーブルから選択された値を使用して正規化され、このようにスキャンの間に取得された正規化ＮＭＲ信号から画像が再構成される。たとえば、このようなスキャンパラメータの１つは位相符号化磁界勾配振幅であり、受信利得設定値は位相符号化を増大するにつれて大きくされる。
【０００７】
本発明の一般的な目的は、ＭＲ画像のＳＮ比を大きくすることである。これは、振幅が非常に異なる取得ＮＭＲ信号に対してアナログ−ディジタル変換器の全範囲をより効率的に使用することにより、達成される。ＮＭＲ信号振幅の変動はスキャンパラメータに関係しており、スキャンパラメータは、アナログ−ディジタル変換器の範囲を完全に使用する受信利得を選択するために使用される。たとえば、スキャンパラメータは、位相符号化値としてもよく、あるいはＮＭＲ信号振幅に予測可能な変化を生じさせる患者の呼吸または他の身体の機能を表す信号としてもよい。
【０００８】
本発明の更に特定の目的は、異なる受信利得でスキャンの間に取得されるＮＭＲ信号を正規化することである。正規化テーブルは、可能な各受信利得設定値に対する振幅補正値および位相補正値を記憶する。取得される各ＮＭＲ信号に関連する受信利得設定値を使用することにより、この正規化テーブルから適切な振幅補正値および位相補正値が選択される。これらはＮＭＲ信号を正規化するために適用される。
【０００９】
【実施例の記載】
まず図１には、本発明を含む好ましいＭＲＩシステムの主要構成要素が示されている。このシステムの動作は、キーボード制御パネル１０２および表示装置１０４を含む操作卓１００から制御される。操作卓１００はリンク１１６を介して別個のコンピュータシステム１０７と通信する。コンピュータシステム１０７により、操作者は表示装置１０４のスクリーン上の画像の作成および表示を制御することができる。コンピュータシステム１０７には、バックプレーン（配線盤）を介して相互に通信する多数のモジュールが含まれている。これらのモジュールには、画像プロセッサモジュール１０６、ＣＰＵモジュール１０８、および画像データアレーを記憶するための、当業者にはフレームバッファとして知られているメモリモジュール１１３が含まれている。コンピュータシステム１０７は、画像データおよびプログラムの記憶のために、ディスク記憶装置１１１およびテープ駆動装置１１２に接続されている。コンピュータシステム１０７は、高速直列リンク１１５を介して別個のシステム制御器１２２と通信する。
【００１０】
システム制御器１２２には、バックプレーンを介して接続された一組のモジュールが含まれている。これらのモジュールには、ＣＰＵモジュール１１９、および直列リンク１２５を介して操作卓１００に接続されるパルス発生器モジュール１２１が含まれる。遂行すべきスキャンシーケンス（ｓｃａｎ  ｓｅｑｕｅｎｃｅ）を示す指令がリンク１２５を介して操作者からシステム制御器１２２に送られる。パルス発生器モジュール１２１は、システム構成要素を動作させることにより所望のスキャンシーケンスを実行する。パルス発生器モジュール１２１は、作成されるべきＲＦパルスのタイミング、強さおよび形状、ならびにデータ取得窓のタイミングおよび長さを示すデータを作成する。パルス発生器モジュール１２１は勾配増幅装置１２７に接続されて、スキャンの間に作成されるべき勾配パルスのタイミングおよび形状を指示する。パルス発生器モジュール１２１はまた生理的取得制御器１２９から患者データを受ける。生理的取得制御器１２９は、患者に接続された多数の異なるセンサからの信号、たとえば電極からのＥＣＧ信号、またはふいごからの呼吸信号を受ける。そして最後に、パルス発生器モジュール１２１はスキャン室インタフェース回路１３３に接続される。スキャン室インタフェース回路１３３は、患者および磁石システムの状態に対応する種々のセンサからの信号を受ける。患者位置決めシステム１３４はスキャンのための所望の位置に患者を動かすための指令をスキャン室インタフェース回路１３３を介して受ける。
【００１１】
パルス発生器モジュール１２１によって作成された勾配波形は、Ｇx 増幅器、Ｇy 増幅器およびＧz 増幅器で構成される勾配増幅装置１２７に印加される。各勾配増幅器は、全体が１３９で表された組立体の中の対応する勾配コイルを励起することにより、取得される信号を位置符号化するために使用される磁界勾配を作成する。勾配コイル組立体１３９は磁石組立体１４１の一部を形成する。磁石組立体１４１には、分極磁界用磁石１４０および全身用ＲＦコイル１５２が含まれている。
【００１２】
システム制御器１２２の中のトランシーバモジュール１５０はパルスを発生する。これらのパルスは、ＲＦ増幅器１５１により増幅され、送受切替えスイッチ１５４によりＲＦコイル１５２に結合される。患者の中の励起された核から放射される信号は同じＲＦコイル１５２によって検知し、送受切替えスイッチ１５４を介して前置増幅器１５３に結合することができる。増幅されたＮＭＲ信号は、トランシーバ１５０の受信部で復調、フィルタリングおよびディジタル化される。送受切替えスイッチ１５４はパルス発生器モジュール１２１からの信号によって制御される。これにより、送信モードの間は、ＲＦ増幅器１５１がコイル１５２に電気的に接続され、受信モードの間は、前置増幅器１５３がコイル１５２に電気的に接続される。送受切替えスイッチ１５４により、別個のＲＦコイル（たとえば、頭部コイルまたは表面コイル）を送信モードまたは受信モードで使用することができる。
【００１３】
ＲＦコイル１５２によってピックアップされたＮＭＲ信号はトランシーバモジュール１５０によってディジタル化され、システム制御器１２２の中のメモリモジュール１６０に転送される。スキャンが完了して、データアレー全体がメモリモジュール１６０に取得されると、アレープロセッサ１６１はデータをフーリエ変換して、画像データのアレーとする。この画像データは直列リンク１１５を介してコンピュータシステム１０７に伝えられる。コンピュータシステム１０７で、画像データがディスクメモリ１１１に記憶される。操作卓１００から受けた指令に応動して、この画像データはテープ駆動装置１１２に保管してもよく、あるいは画像プロセッサ１０６で更に処理し、操作卓１００に伝え、表示装置１０４で表示してもよい。
【００１４】
特に図１および２に示すようにトランシーバ１５０は、電力増幅器１５１を介してコイル１５２ＡにＲＦ励起磁界Ｂ1 を生じさせ、またコイル１５２Ｂに誘導された信号を受ける。上記のように、コイル１５２Ａと１５２Ｂは図２に示すように分離してもよいし、あるいは図１に示すように単一の全身用コイルとしてもよい。ＲＦ励起磁界のベース周波数すなわち搬送波周波数は周波数シンセサイザ２００の制御下で作成される。周波数シンセサイザ２００はＣＰＵモジュール１１９およびパルス発生器モジュール１２１から一組みのデイジタル信号（ＣＦ）を受ける。これらのディジタル信号は、出力２０１に送出されるＲＦ搬送波信号の周波数および位相を表す。この指令されたＲＦ搬送波が変調器及び逓昇変換器２０２に印加される。変調器及び逓昇変換器２０２では、またパルス発生器モジュール１２１から受けた信号Ｒ（ｔ）に応じて、指令されたＲＦ搬送波の振幅が変調される。信号Ｒ（ｔ）は作成されるべきＲＦ励起パルスのエンベロープを規定する。信号Ｒ（ｔ）は、一連の記憶されたディジタル値を順次読み出すことによりパルス発生器モジュール１２１の中で作成される。これらの記憶されたディジタル値を操作卓１００から変更することにより、任意の所望のエンベロープのＲＦパルスを作成することができる。
【００１５】
出力２０５に送出されるＲＦ励起パルスの大きさは励起減衰回路２０６によって減衰される。励起減衰回路２０６はバックプレーン１１８からディジタル指令ＴＡを受ける。減衰されたＲＦ励起パルスはＲＦコイル１５２Ａを駆動する電力増幅器１５１に印加される。トランシーバ１２２のこの部分の更に詳細な説明については、必要なら、ここに引用する米国特許第４，９５２，８７７号を参照されたい。
【００１６】
やはり図１および図２に示すように、被検体からのＮＭＲ信号は受信コイル１５２Ｂによってピックアップされ、前置増幅器１５３を介して受信減衰器２０７の入力に印加される。受信減衰器２０７は更に、バックプレーン１１８から受けるディジタルの受信減衰値（RA）信号により決められた量だけ信号を増幅する。本発明の好ましい実施例に従ってスキャンの間に受信利得を動的に調整するために用いられるのは、この受信減衰値（RA）信号である。
【００１７】
受信される信号はラーモア周波数またはその近傍にある。この高周波信号は逓降変換器２０８により２段階のプロセスで逓降変換される。逓降変換器２０８はまずＮＭＲ信号を線２０１の搬送波信号と混合した後、結果として得られる差信号を線２０４の２．５ＭＨｚの基準信号と混合する。逓降変換されたＮＭＲ信号はアナログ−ディジタル（Ａ／Ｄ）変換器２０９の入力に印加される。Ａ／Ｄ変換器２０９はアナログ信号をサンプリングし、ディジタル化する。Ａ／Ｄ変換器２０９の出力はディジタル検出及び信号処理器２１０に印加される。ディジタル検出及び信号処理器２１０は受信された信号に対応する１６ビットの同相（Ｉ：ｉｎ−ｐｈａｓｅ）値および１６ビットの直角（Ｑ：ｑｕａｄｒａｔｕｒｅ）値を作成する。結果として得られる、受信信号のディジタル化されたＩ値およびＱ値の流れがバックプレーン１１８を介してメモリモジュール１６０に出力され、そこで本発明に従って正規化された後、画像を再構成するために用いられる。
【００１８】
基準周波数発生器２０３は共通の２０ＭＨｚのマスタクロック信号から、２．５ＭＨｚの基準信号の他に２５０ｋＨｚのサンプリング信号、ならびに５ＭＨｚ、１０ＭＨｚおよび６０ＭＨｚの基準信号を作成する。受信器の更に詳しい説明については、必要なら、ここに引用する米国特許第４，９９２，７３６号を参照されたい。
【００１９】
改善されたＳＮ比で振幅が広範囲に変わるＮＭＲ信号を取得できるようにスキャンの間に受信器に印加されるディジタルの受信減衰値（RA）信号を変えることによって、本発明が具現される。したがって、各ＮＭＲ信号が取得された後、取得の間に使用される特定の受信減衰値（RA）を補償するためにその測定された振幅を調整しなければならない。この調整、すなわちＮＭＲ信号振幅の「正規化」により、画像を再構成するために用いられるＮＭＲ信号の相対振幅が維持され、それらの各々は再構成された画像に正確に寄与する。後で説明するように、取得された信号に係数（Ａ）を乗算することにより、振幅調整が行われる。係数（Ａ）は、この取得された信号を、最適な受信減衰値（RA）で取得されたＮＭＲ信号で正規化するものである。
【００２０】
画像再構成プロセスの際にＮＭＲ信号はフーリエ変換されるので、取得された信号の相対位相も維持されなければならない。設定相互の間で位相シフトの変化がほとんど、または全然無い信号減衰器を構成することは可能ではあるが、実際上これは望ましくない。したがって、実際の受信器は取得されたＮＭＲ信号の振幅を減衰値（RA）の関数として変えるだけでなく、信号に加わる時間遅延も変える。画像を再構成するために用いられるすべてのＮＭＲ信号の相対位相を維持するために、これらの時間遅延を正規化しなければならない。そうでないと、読出し勾配軸に沿ったスピン信号の配置誤りによって生じる滲みやぼやけにより、画像分解能が低下する。
【００２１】
特に図１、図３Ａおよび３Ｂを参照して説明する。各ＮＭＲ信号がトランシーバ１５０によって取得されると、これはメモリモジュール１６０に複素数のアレー（配列）として記憶される。これらの複素数は各々、ＮＭＲ信号の時間領域サンプルの位相および振幅を表す。後で更に詳しく説明するように、ＣＰＵモジュール１１９はこの取得されたＮＭＲ信号に作用することにより、メモリモジュール１６０に含まれている正規化テーブル２２５に記憶されているそれぞれの補正係数（Ａ）および（θ）に従って取得ＮＭＲ信号の振幅および位相を正規化する。
【００２２】
この正規化テーブル２２５の好ましい一実施例が図３Ａに示されており、正規化テーブル２２５には可能な受信減衰値（RA）の各々に対して時間領域の補正値Ａおよびθが記憶される。記憶されている減衰値（RA）でＮＭＲ信号が取得されたとき、この減衰値（RA）は正規化テーブル２２５のインデックスとして用いられ、そこで補正係数Ａおよびθが読み出されて、次式のように各時間領域ＮＭＲ信号サンプル（Ｉt ，Ｑt ）を補正するために用いられる。
【００２３】
【数１】
Ｉn ＝Ｉt （Ａ） cosθ−Ｑt （Ａ） sinθ
Ｑn ＝Ｉt （Ａ） sinθ＋Ｑt （Ａ） cosθ              （１）
次に、結果として得られる正規化されたＮＭＲ信号（Ｉn ，Ｑn ）がアレープロセッサ１６１に移される。アレープロセッサ１６１は、画像を再構成するために必要なフーリエ変換を行う。
【００２４】
正規化テーブル２２５の第２の実施例が図３Ｂに示されており、これは可能な受信減衰値（RA）の各々に対して、フーリエ変換されたＮＭＲ信号の各離散周波数での周波数領域の補正値Ａおよびθを記憶する。本発明のこの実施例では、取得されたＮＭＲ信号はまずアレープロセッサ１６１により周波数領域にフーリエ変換され、離散周波数「ビン（ｂｉｎ）」の中の複素値のアレーとしてメモリ１６０に記憶される。記憶されている減衰値（RA）でＮＭＲ信号が取得されたとき、この減衰値（RA）が図３Ｂの正規化テーブル２２５の１つのインデックスとして用いられ、特定のＮＭＲ信号値の周波数ビン番号（ｆ）が第２のインデックスとして使用されることにより、適切な補正係数Ａおよびθが読み出される。補正係数Ａおよびθを適用して周波数領域のＮＭＲ信号サンプル（Ｉf ，Ｑf ）の振幅および位相を変更することにより、上記式（１）に示されるような正規化されたサンプル（Ｉn ，Ｑn ）が作成される。すべての信号値が別々に補正された後、正規化された周波数領域のＮＭＲ信号がアレープロセッサ１６１に伝えられ、画像再構成プロセスが完了する。本発明のこの第２の実施例は、受信器によってＮＭＲ信号に加えられる位相または振幅の変化が受信減衰値（RA）によって左右されるだけでなく、周波数によっても著しく左右される場合に好ましい。換言すれば、各々の受信減衰設定値（RA）に対して位相補正θが比較的一定でない場合、または振幅補正（Ａ）が周波数に依存する場合には、より複雑な方法が好ましい。
【００２５】
正規化テーブル２２５の補正値Ａおよびθは、各受信器に対して校正プロセスの一部として決められ、固定されたままになる。一定振幅Ａ0 の正弦波を印加し、この信号を可能な受信減衰設定値（RA）の各々でサンプリングすることにより、図３Ａの正規化テーブル２２５が作成される。図３Ｂの正規化テーブル２２５に対する補正値は同様に作成されるが、各々の減衰設定値（RA）に対して、印加される正弦波の周波数も、読出し勾配軸周波数の組全体にわたって掃引される。いずれの場合も、受信された信号は周波数領域にフーリエ変換され、印加された正弦波の周波数に対応する周波数ビンの中の複素値（Ｉf ，Ｑf ）を使用して、その減衰設定値（RA）および周波数ビンに対する補正値が次のように計算される。
【００２６】
【数２】
Ａ＝Ａnom ／（Ｉf 2 ＋Ｑf 2 ）1/2 
θ＝θnom − tan-1 (Ｑf / Ｉf)                      （２）
ここでＡnom およびθnom は、受信器の雑音の観点から減衰設定値（RA）を最適値に設定した状態で印加信号を測定したときの、該印加信号により同じ周波数ビンの中に作成される値の振幅および位相である。この受信校正プロセスによって決められた補正値は、メモリモジュール１６０の中に正規化テーブル２２５として記憶され、任意の後続のスキャンの間に使用されて、受信減衰値（RA）が動的に変えられる。
【００２７】
熟練した当業者には明らかなように、フェーズドアレー受信コイルの場合のように複数の受信器が並列に使用されるときは、各受信器に対して、別々の正規化テーブル２２５を作成し、後続のスキャンで別々に使用してもよい。
ここで図４を参照して説明すると、ＣＰＵモジュール１１９が内蔵プログラムに従ってスキャンの間にデータ取得プロセスを指示する。プロセスブロック２３０で示されるように、まずプレスキャンが遂行され、ＮＭＲデータが取得される。このＮＭＲデータから、当業者には周知のように、トランシーバが校正される。後で更に詳しく説明するように、このときにＮＭＲデータを取得して、スキャンの間にＮＭＲ信号振幅が位相符号化値、スライス選択位置およびエコー時間ＴＥのようなスキャンパラメータの関数としてどのように変わるかを決定することもできる。この情報を使用して、減衰設定値（RA）のテーブルが作成される。スキャンが実行されるとき、減衰設定値（RA）がトランシーバ１５０に出力され、これらのスキャンパラメータが変更される。
【００２８】
プレスキャン２３０の後、ループに入り、プロセスブロック２３２でスキャンパラメータがパルス発生器１２１に出力される。プロセスブロック２３４で、適当な受信減衰値（RA）がトランシーバ１５０に出力される。次に、プロセスブロック２３６に示されるように、プログラミングされたパルスシーケンス（ｐｕｌｓｅ  ｓｅｑｕｅｎｃｅ）が開始されることにより、ＮＭＲ信号が取得され、上記のようにメモリモジュール１６０に記憶される。次に、プロセスブロック２３８に示すように、この取得されたＮＭＲ信号は上記の手順の１つを使用して正規化され、データは画像再構成のためにアレープロセッサ１６１に送られる。このプロセスは、スキャンプロトコルで必要とされるすべてのＮＭＲ信号が取得されたことが判定ブロック２４２で確かめられるまで、プロセスブロック２４０でスキャンパラメータを変更した後に、繰り返される。スキャンの完了が表示され、１つまたは複数の画像が再構成され、操作者は画像を見たり、更に処理したりすることができる。
【００２９】
スキャンの間に使用される受信減衰値（RA）のテーブルは多数の方法で作成することができる。たとえば、位相符号化無しにパルスシーケンスを実行し、最適信号レベル（Ａ0 ）に対する受信減衰値（RA0 ）を設定することにより、このようなテーブルを作ることができる。次に、位相符号化を適用してパルスシーケンスを繰り返すことにより、ＮＭＲ信号レベル（Ａ）が測定される。次に、最適信号レベルを作成するために必要とされる受信減衰値（RA）が次式のように計算される。
【００３０】
【数３】
RA  ＝RA0 （Ａ／Ａ0 ）
これは、スキャンの間に使用される各位相符号化値に対して繰り返してもよい。あるいは、好ましくは、数個の値だけを測定し、上記のように計算された受信減衰値（RA）の相互の間の内挿により、すべての可能な位相符号化値に対する受信減衰値（RA）の設定値を決定してもよい。使用される精密な方法にかかわらず、結果として得られる受信減衰値（RA）のテーブルがメモリモジュール１６０に記憶され、後続のスキャンの際に受信減衰値を設定するために使用される。
【００３１】
同様の方法を用いて、スキャンの間に使用するための他の受信減衰値テーブルを計算してもよい。たとえば、広く異なる信号レベルを生じる人体組織にわたるスキャンの間に多重スライスが取得される場合には、プレスキャンの間、各スライスから信号レベルがサンプリングされる。これらの測定値から、受信減衰値テーブルが作成される。後続のスキャンの際に、この受信減衰値テーブルを使用して、受信利得を動的に調整することができる。
【００３２】
熟練した当業者には明らかなように、スキャンの間に受信減衰値を２つ以上のスキャンパラメータの関数として動的に調整することができる。これは、対応する（複数の）受信減衰値テーブルからの受信減衰値を乗算し、スキャンの間、トランシーバ１５０にその組み合わされた値を適用することにより、達成される。この組み合わされた値は、もちろんその後、後続の正規化プロセスの間に使用される。
【図面の簡単な説明】
【図１】本発明を用いるＭＲＩシステムのブロック図である。
【図２】図１のＭＲＩシステムの一部を形成するトランシーバの電気ブロック図である。
【図３】図１のＭＲＩシステムの中に記憶され、本発明を実施するために用いられる正規化テーブルの実施例の概略図である。
【図４】本発明を実施するために図１のＭＲＩシステムで実行するプログラムのフローチャートである。
【符号の説明】
２０７  受信減衰器
２２５  正規化テーブル
Ａ      振幅補正係数
RA      受信減衰値
θ      位相補正係数
【図１】
0003657019.tif 000002
【図２】
0003657019.tif 000003
【図３】
0003657019.tif 000004
【図４】
0003657019.tif 000005